(57)【要約】      （修正有）【課題】化学薬品などの腐食性液体の汲み上げで、水位センサーの破損が防止され、通電が遮断された後、手動にて再起動する必要がない汲み上げ装置を提供する。【解決手段】吸い込み部と吐き出し部を有し駆動電源へ接続される汲み上げポンプと、同汲み上げポンプの吐き出し部に一端が接続され、他端の排出口に連通する排出管と、ポンプ駆動用の作動電流が所定値以上若しくは作動電圧が所定値以下の時は、汲み上げポンプを駆動（通電）し、逆の時は汲み上げポンプの駆動を停止（通電遮断）するようにした汲み上げポンプ駆動制御コントローラと、同汲み上げポンプ駆動制御コントローラに接続されて汲み上げポンプを所定時間毎に間欠的に一定時間駆動させるコントローラを具備してなる。【選択図】図１ａ
0003116381.tif 000002
【実用新案登録請求の範囲】
【請求項１】
吸い込み部と吐出部を有し駆動電源へ接続される汲み上げポンプと、同汲み上げポンプの吐出部に一端が接続され、他端の排出口に連通する排出管と、前記汲み上げポンプに接続されてポンプ駆動用の作動電流が所定値以上若しくは作動電圧が所定値以下の時は前記汲み上げポンプを駆動（通電）し、前記ポンプ駆動用電流が所定値以下もしくは作動電圧が所定値以上の時は前記汲み上げポンプの駆動を停止（通電遮断）するようにした汲み上げポンプ駆動制御コントローラと、同汲み上げポンプ駆動制御コントローラに接続されて前記汲み上げポンプを所定時間毎に間欠的に一定時間駆動させるコントローラを具備してなることを特徴とする汲み上げ装置。
【請求項２】
前記汲み上げポンプに水位センサーを装着し，同水位センサーを前記汲み上げポンプ駆動制御コントローラに接続したことを特徴とする請求項１に記載の汲み上げ装置。
【考案の詳細な説明】
【技術分野】
【０００１】    本考案に係る汲み上げ装置は，水道水をビル屋上の貯水タンクに汲み上げたり、浴槽の残り水を水洗トイレの洗浄水や洗濯用水として再利用する汲み上げ装置に関する。
【技術背景】
【０００２】    水洗トイレの洗浄水は殆ど水道水を使用しており，水資源不足の一因となっている。
そこで、本考案者は、その不具合を解決した発明（特開２００４−２０４６６４号）を先に出願した。先の発明１ではトイレ洗浄水タンクに第１の水位センサーを挿入し，浴槽内にポンプ及び電極式の第２の水位センサーを挿入し，前記トイレ洗浄水タンクは前記ポンプと管路で接続し，更に前記ポンプはポンプ制御装置を介して電源へ接続し，前記ポンプ制御装置は前記第１の水位センサー及び前記第２の水位センサーと接続すると共に，前記第２の水位センサーは前記トイレ洗浄水タンクの水位が前記第１の水位センサーの下限より低下した時にのみ通電するように構成したので、トイレ洗浄水タンクの水が使用されて水位が低下すると，浴槽内の残り水がポンプによって洗浄水タンクへ送られる。このようにして，低コストで簡易な節水装置によって，人手をかけずに入浴後の残り水をトイレ洗浄水として再利用出来るようにした。
更に先の発明２では、前記発明１において，浴槽内に挿入する電極式の第２の水位センサーに変えて，電流計を内蔵したポンプ制御装置を介して，前記電流計で検知したポンプ駆動用電流値が所定値以下になれば、前記ポンプへの通電が遮断されてポンプの空転を防止できるような構成にした。
【考案の開示】
【考案が解決しようとする課題】
【０００３】
【０００４】  以上説明した先の発明１では、電極式の第２の水位センサーを例えば、浴槽の残り水に挿入する場合は不具合ないが、化学薬品などの腐食性液体や、し尿、廃油や廃液や排水、浚渫工事等でのヘドロや汚泥などの各種流動物質の汲み上げに用いた場合は、第２の水位センサーの破損が懸念される。
更に先の発明２では、電流計で検知したポンプ駆動用電流値が所定値以下になれば汲み上げポンプへの通電が遮断された後は、汲み上げポンプは手動にて再起動する必要が生じる。  また、電圧が頻繁に変動する特定地域では電圧計で検知したポンプ駆動用電圧値が電圧変動により、予め設定した所定値以外で汲み上げポンプへの通電が遮断されることも懸念される。
【課題を解決するための手段】
【０００５】  そこで、本考案の請求項１に係る考案は，吸い込み部と吐出部を有し駆動電源へ接続される汲み上げポンプと、同汲み上げポンプの吐出部に一端が接続され、他端の排出口に連通する排出管と、前記汲み上げポンプに接続されてポンプ駆動用の作動電流が所定値以上若しくは作動電圧が所定値以下の時は前記汲み上げポンプを駆動（通電）し、前記ポンプ駆動用電流が所定値以下もしくは作動電圧が所定値以上の時は前記汲み上げポンプの駆動を停止（通電遮断）するようにした汲み上げポンプ駆動制御コントローラと、同汲み上げポンプ駆動制御コントローラに接続されて前記汲み上げポンプを所定時間毎に間欠的に一定時間駆動させるコントローラを具備してなることを特徴とする汲み上げ装置である。
本考案の請求項２に係る考案は，前記汲み上げポンプに水位センサーを装着し，同水位センサーを前記汲み上げポンプ駆動制御コントローラに接続したことを特徴とする請求項１に記載の汲み上げ装置である。
なお、水位センサーは、ポンプの駆動用の作動電流が所定値以上若しくは作動電圧が所定値以下の時のみに作動するように設定されている。ポンプ作動時には、同水位センサーの電源が自動的に切れる。
【考案の効果】
【０００６】  本考案の請求項１に係る考案では，汲み上げポンプに接続されてポンプ駆動用の電流が所定値以上若しくは作動電圧が所定値以下の時は汲み上げポンプを駆動（通電）し、ポンプ駆動用電流が所定値以下若しくは作動電圧が所定値以上時は汲み上げポンプの駆動を停止（通電遮断）するようにした汲み上げポンプ駆動制御コントローラに、更に汲み上げポンプを所定時間毎に間欠的に一定時間駆動させるコントローラを取付けたので、水位センサーが不要なので，水位センサーの清掃や，下水道工事などで水位センサー６が重機等で機械的に切断された破損による交換が不要となる。
更に、汲み上げポンプ１は自動的に再起動することが可能になった。
本考案の請求項２に係る考案では，汲み上げポンプに水位センサーを装着し，同水位センサーを前記汲み上げポンプを駆動制御するコントローラに接続したことにより、電圧が頻繁に変動する特定地域でも予め設定した所定値以外で汲み上げポンプへの通電が遮断されることもなくなった。
【考案を実施するための最良の形態】
【０００７】
【実施例１】
【０００８】  本考案に係る考案の具体的な実施例１について以下説明する。
図１ａ、図１ｂは汲み上げ装置を用いて水を屋上ハイタンクに汲み上げる実施例１に係る装置の概念図，図２ａ、図２ｂは作動の説明図である。図１において，１は汲み上げポンプで、排出する液体（水や、廃油やヘドロなどの各種流動物）の吸い込み部１ａと吐出部１ｂを有し駆動電源２に接続される。３は排出管で汲み上げポンプ１の吐出部１ｂに一端３ａが接続され、他端の排出口３ｂに連通する。４は汲み上げポンプ１に接続され、図２ｃに図示するようにポンプ駆動用電流が所定値以上（Ｃ）の時は汲み上げポンプ１を駆動（通電）し、ポンプ駆動用電流が所定値以下（Ｃ）の時は前記汲み上げポンプ１の駆動を停止（通電遮断）するようにした汲み上げポンプ駆動制御コントローラである。また、汲み上げポンプを駆動制御するコントローラ４には電流計５が内蔵されている。コントローラ４は汲み上げポンプ１を所定時間毎に間欠的（少なくとも１回以上、好ましくは２回）に一定時間（３〜５秒、長くても１０秒以下）駆動させるように構成されている。６は赤外線式水位センサー（水位変化によって赤外線が遮断されると作動するもの）である。
なお、水位センサー６は、ポンプの駆動用電圧が所定値以下の時のみに作動するように設定されている。【０００９】  次いで本実施例の作用を説明する。汲み上げポンプを駆動制御するコントローラ４を駆動電源２に接続（スタート）すると，同コントローラ４で整流され各々最適に調整された作動電流が，汲み上げポンプ１、コントローラ４及びフロート式水位センサー６に印加される。そして，汲み上げポンプ駆動制御コントローラ４では図２ａ、図２ｂのような制御が行われる。即ち、汲み上げ部に挿入された，汲み上げポンプ１の負荷変動に伴う作動電流の変化を、汲み上げポンプ駆動制御するコントローラ４に内臓された電流計５で測定検知する。汲み上げポンプ１の作動電流は図２ｃに示すように，水有のレベルＡから水無のレベルＢへ階段状に変化する。従って，その中間Ｃのレベル以下でポンプリレーがＯＮ，Ｃのレベル以上でＯＦＦとするように設定しておけば，水位センサーの破損が懸念される化学薬品などの腐食性液体や、し尿、廃油や廃液や排水、浚渫工事等でのヘドロや汚泥などの各種流動物質の汲み上げに用いることが出来る。作動電流は汲み上げ装置の負荷変動に応じて作動電流が変化する事例を図２ａ、図２ｂのフロー図について以下説明する。
まず電源が入ると、ハイタンクの水位を水位センサーが検知し、満の場合は全ての機能を停止する。また、駆動電源のスイッチを入にすることにより、電源のスイッチを切るまでの間は全自動となる。ハイタンクの水位センサーが水が無い（空）と検知した場合は、電流検知装置を内臓したコントローラが集水タンク内のポンプを作動させ、水が有と検知した場合は、連続的に水を汲み上げる。また、途中、水が空になった場合、リレースイッチがｏｆｆ作動してポンプの作動をストップさせる。更に電源が入になり、ハイタンクの水が空であって、集水タンクの水量が空の場合、コントローラは３〜５秒間、ポンプを強制的に作動させ、集水タンクの水量の有無を電流チェック装置が検知する。同時にポンプ内にエアが入っている場合、ポンプは３〜５秒間しか回転しない為に水が無いと検知することがある。それを防止する為に１回以上、もしくは３回連続して作動させる。それで、電流チェック装置が水の有無を検知し、無いと数値がでると、コントローラにより、時間の設定が行われる。そこで、タイマー設定が、設定時間になると水の有無を問わず、コントローラが３〜５秒間ポンプを作動させ、水が有である場合は、ポンプを連続的に作動させ、また水が無であった場合は、１回以上もしくは３回、コントローラが強制的にポンプを作動させ水の有無を検知させる。水が無い場合は、タイマ設定時間が来るとこの動きを繰り返す。【００１０】  本実施例においては水位センサーが無いので，水位センサーの清掃や，下水道工事などで水位センサーが重機等で機械的に切断される消耗による交換が不要となる。
更に、ポンプ駆動用電流が所定値以下（Ｃ）になり、汲み上げポンプ１が駆動を停止（通電遮断）すると、汲み上げポンプ駆動制御するコントローラに接続されたコントローラ５が、汲み上げポンプ１を所定時間毎に間欠的に少なくとも１回以上、好ましくは２回一定時閧（３〜５秒、長くても１０秒以下）駆動させるので、汲み上げポンプ１の再起動を確実に自動化することが可能になった。
即ち、汲み上げポンプ１を１回だけ一定時間（３〜５秒、長くても１０秒以下）駆動させた場合、多量の気泡を吸い込んだ場合、ポンプ駆動用電流が所定値以下（Ｃ）になり、汲み上げポンプ１が駆動を停止（通電遮断）することも懸念されるので、好ましくは連続して２回一定時間（３〜５秒、長くても１０秒以下）駆動させると確実に汲み上げポンプ１の再起動が可能となった。【００１１】なお、腐食性液体などや重機等で機械的に切断されて水位センサー６が破損する恐れが有る場合は、汲み上げポンプに赤外線式水位センサーを装着し，電圧が頻繁に変動する特定地域でも予め設定した所定値以外で汲み上げポンプへの通電が遮断されることもなくなった。
【実施例２】
【００１２】  本考案の具体例として赤外線式水位センサーを装着した例を実施例２として以下説明する。
図３ａ、図３ｂ、図３ｃは実施例２に係る装置の概念と作動の説明図である。
図３ａは、赤外線式水位センサー室６０に取り付けられた赤外線遮断材６２で、光や空気または水等が遮断された状態を示す図である。図３ｂは、赤外線式水位センサー室６０に挿入されたフロート６４が降下して赤外線がセンサーで受光された状態を示す図である。また、赤外線式水位センサー室６０の室内は、外気と遮断された密閉容器で構成されている。【００１３】  従って、赤外線式水位センサー室６０は、外気と遮断されているので密閉容器内の露結による、電気コードやセンサー等の系列の劣化等の心配がない。
なお、図３ａと図３ｂに図示される赤外線センサーに代えて、図３ｃに図示する空気抜き弁６５を用いることもできる。
【産業上の利用可能性】
【００１４】本考案の産業上の利用可能性としては下水道工事などで溝や穴に溜まった水やトンネル等の湧き水、化学薬品などの液体とは限らず、し尿、廃油や廃液や排水、浚渫工事等でのヘドロや汚泥、ガソリンや重油などの各種流動物質の汲み上げにも適用できる。
【図面の簡単な説明】
【００１５】
【図１ａ】汲み上げ装置を用いて水を屋上ハイタンクに汲み上げる実施例１に係る装置の全体概念図
【図１ｂ】実施例１に係る装置の要部概念図
【図２ａ】実施例１に係る装置の作動の説明図
【図２ｂ】実施例２に係る装置の作動の説明図
【図２ｃ】実施例１に係る装置の駆動電流変化の説明図
【図３ａ】実施例２に係る装置での赤外線遮断概念図
【図３ｂ】実施例２に係る装置での赤外線未遮断概念図
【図３ｃ】実施例２に係る装置に空気抜き弁６５を用いた概念図
【符号の説明】
【００１６】１・・・汲み上げポンプ
２・・・駆動電源
３・・・排出管
４・・・汲み上げポンプ駆動制御コントローラ
５・・・電圧計
６・・・水位センサー
６０・・・赤外線式水位センサー受信室
６１・・・赤外線式センサー室
６２・・・赤外線遮断材
６３・・防水材
６４・・フロート
６５・・空気抜き弁
【図１ａ】
0003116381.tif 000003
【図１ｂ】
0003116381.tif 000004
【図２ａ】
0003116381.tif 000005
【図２ｂ】
0003116381.tif 000006
【図２ｃ】
0003116381.tif 000007
【図３ａ】
0003116381.tif 000008
【図３ｂ】
0003116381.tif 000009
【図３ｃ】
0003116381.tif 000010
【手続補正書】
【提出日】平成17年7月26日(2005.7.26)
【手続補正１】
【補正対象書類名】実用新案登録請求の範囲
【補正対象項目名】全文
【補正方法】変更
【補正の内容】
【実用新案登録請求の範囲】
【請求項１】
吸い込み部と吐出部を有し駆動電源へ接続される汲み上げポンプと、同汲み上げポンプの吐出部に一端が接続され、他端の排出口に連通する排出管と、前記汲み上げポンプに接続されてポンプ駆動用の作動電流が所定値以上若しくは作動電圧が所定値以下の時は前記汲み上げポンプを駆動し、前記ポンプ駆動用電流が所定値以下もしくは作動電圧が所定値以上の時は前記汲み上げポンプの駆動を停止するようにした汲み上げポンプ駆動制御コントローラと、同汲み上げポンプ駆動制御コントローラに接続されて前記汲み上げポンプを所定時間毎に間欠的に一定時間駆動させるコントローラを具備してなることを特徴とする汲み上げ装置。
【請求項２】
前記汲み上げポンプに水位センサーを装着し，同水位センサーを前記汲み上げポンプ駆動制御コントローラに接続したことを特徴とする請求項１に記載の汲み上げ装置。